(57)【要約】【課題】寝心地を良好にすることができる携帯枕用カバーを提供する。【解決手段】一実施形態に係る携帯枕用カバーは、使用者の頸部に巻かれる携帯枕用カバー１０である。携帯枕用カバー１０は、頸部に巻かれた状態で頸部の外側を向く第１布部１１と、頸部に巻かれた状態で頸部の内側を向くと共に頸部に接触する第２布部１２と、を備え、第１布部１１は、第２布部１２と比較して伸縮性が低い生地によって構成されており、第２布部１２の表面には凹凸が形成されている。【選択図】図１
2018057500.tif 000002
【特許請求の範囲】
【請求項１】
使用者の頸部に巻かれる携帯枕用カバーであって、
前記頸部に巻かれた状態で前記頸部の外側を向く第１布部と、
前記頸部に巻かれた状態で前記頸部の内側を向くと共に前記頸部に接触する第２布部と、を備え、
前記第１布部は、前記第２布部と比較して伸縮性が低い生地によって構成されており、
前記第２布部の表面には、凹凸が形成されている、
携帯枕用カバー。
【請求項２】
前記携帯枕用カバーは、非通気性の袋体を収容し、
前記袋体には、前記袋体の内部への空気の流出入を行う吸排気部が設けられており、
前記吸排気部は、回転されることによって前記袋体を開閉し、
前記第１布部には、前記吸排気部を外方に突出させる孔部が形成されている、
請求項１に記載の携帯枕用カバー。
【請求項３】
前記第１布部及び前記第２布部は、前記携帯枕用カバーの長手方向に沿って延びており、
前記第２布部は、前記長手方向の中央において、前記携帯枕用カバーの幅方向の全体に亘って延びており、
前記長手方向の中央において、前記第１布部は、前記第２布部によって分断されている、
請求項１又は２に記載の携帯枕用カバー。
【請求項４】
前記頸部に巻かれた状態で前記第１布部の上側に位置する第３布部を備え、
前記第３布部は、前記携帯枕用カバーの長手方向の中央において、前記第２布部によって分断されており、
前記第３布部は、前記第２布部に対して上方に突出する山状とされている、
請求項１〜３のいずれか一項に記載の携帯枕用カバー。
【請求項５】
前記第２布部及び前記第３布部には、フードを着脱自在に取り付けるフード取付け部が設けられている、
請求項４に記載の携帯枕用カバー。
【発明の詳細な説明】
【技術分野】
【０００１】
本発明は、持ち運びが可能な携帯枕に用いられる携帯枕用カバーに関する。
【背景技術】
【０００２】
携帯枕は、例えば、航空機に乗って長時間移動等を行う使用者の頸部に当てられて使用される。実用新案登録第３１８９８２９号公報には、Ｕ字状の枕本体と、枕本体の上に乗せられる三日月状の補助枕とを備えた携帯枕が記載されている。枕本体には、その内部への空気の流出入を可能とする空気注入・排出口が設けられている。この空気注入・排出口から内部に空気を注入することによって枕本体が膨らみ、空気注入・排出口を開けた状態で枕本体を押圧することによって枕本体が収縮する。
【０００３】
枕本体には、カバーが被せられている。カバーは、洗濯を繰り返し行うことが可能な布によって構成されており、枕本体の全体を包み込む形状とされている。このカバーには、枕本体を出し入れするための開口部が設けられており、この開口部から上記の空気注入・排出口を露出させることが可能である。また、開口部を閉じることによって空気注入・排出口を隠すことが可能である。補助枕にも上記と同様のカバー及び空気注入・排出口が設けられている。また、補助枕には、補助枕に枕本体を保持させるための輪状のゴム紐が縫い込まれており、このゴム紐に枕本体を通すことによって、補助枕に枕本体が保持される。
【先行技術文献】
【特許文献】
【０００４】
【特許文献１】実用新案登録第３１８９８２９号公報
【発明の概要】
【発明が解決しようとする課題】
【０００５】
前述したように、枕本体及び補助枕等の携帯枕には、カバーが設けられており、カバーは、布製とされている。しかしながら、カバーの頸部に接触する部分が普通の布である場合、特に航空機等で長時間携帯枕を使用するときに、頸部等が蒸れて寝心地を損なう懸念がある。また、カバーが全体的に伸縮性が高い布で構成されている場合、携帯枕の形状が安定しにくくなる。携帯枕の形状が安定しないことによって、使用者の頸部が寝返り等によって移動しやすくなることが懸念されるため、この点でも寝心地が損なわれる可能性がある。
【０００６】
本発明は、寝心地を良好にすることができる携帯枕用カバーを提供することを目的とする。
【課題を解決するための手段】
【０００７】
本発明の一側面に係る携帯枕用カバーは、使用者の頸部に巻かれる携帯枕用カバーであって、頸部に巻かれた状態で頸部の外側を向く第１布部と、頸部に巻かれた状態で頸部の内側を向くと共に頸部に接触する第２布部と、を備え、第１布部は、第２布部と比較して伸縮性が低い生地によって構成されており、第２布部の表面には、凹凸が形成されている。
【０００８】
この携帯枕用カバーは、使用者の頸部に巻かれたときに頸部の外側を向く第１布部が、第２布部よりも伸縮性が低い生地によって構成されている。よって、外側に伸縮性が低い第１布部が位置するので、外側から包み込むような形で携帯枕用カバーの形状を安定させることができる。また、頸部に接触する第２布部は第１布部と比較して伸縮性が高い生地とされているので、頸部に対するフィット感を良好にすることができる。従って、携帯枕用カバーの使用時の寝心地を良好にすることができる。また、頸部に接触する第２布部の表面には凹凸が形成されている。よって、頸部に第２布部の凹凸が接触し、頸部と第２布部との接触面積を低減させることができるので、頸部と第２布部との間の通気性を高めることができる。従って、通気性を高めることによって頸部を蒸れにくくすることができるので、長時間携帯枕用カバーを使用した場合でも、良好な寝心地を使用者に提供することができる。
【０００９】
また、携帯枕用カバーは、非通気性の袋体を収容し、袋体には、袋体の内部への空気の流出入を行う吸排気部が設けられており、吸排気部は、回転されることによって袋体を開閉し、第１布部には、吸排気部を外方に突出させる孔部が形成されていてもよい。この場合、吸排気部が外側の第１布部から外方に突出するので、携帯枕用カバーを巻いたときに吸排気部が頸部に接触しないようにすることができる。また、伸縮性が低い生地で構成された第１布部の孔部から吸排気部が突出しているので、第１布部が伸縮しにくいことにより第１布部が吸排気部に干渉しにくくなるので、第１布部が吸排気部の回転を妨げる可能性を抑えることができる。従って、携帯枕用カバーの使用中であっても吸排気部をスムーズに回転させることができるので、吸排気部による空気の流出入をスムーズに行うことができる。
【００１０】
また、第１布部及び第２布部は、携帯枕用カバーの長手方向に沿って延びており、第２布部は、長手方向の中央において、携帯枕用カバーの幅方向の全体に亘って延びており、長手方向の中央において、第１布部は、第２布部によって分断されていてもよい。この場合、伸縮性が高い第２布部は、携帯枕用カバーの幅方向の全体に亘って延びており、更に、長手方向の中央において第１布部を分断している。従って、長手方向の中央において、携帯枕用カバー全体としての伸縮性を高めることができる。よって、長手方向の中央で携帯枕用カバーを折り曲げやすくすることができるので、折り曲げた携帯枕用カバーを例えばクッション又は座布団として用いることが可能となる。
【００１１】
また、頸部に巻かれた状態で第１布部の上側に位置する第３布部を備え、第３布部は、携帯枕用カバ−の長手方向の中央において、第２布部によって分断されており、第３布部は、第２布部に対して上方に突出する山状とされていてもよい。この場合、使用者に携帯枕用カバーが装着されたときに、山状の第３布部が使用者の顎の両側と耳の下側に当たると共に使用者の顔の両側に接触するので、使用者の頸部及び顔を広く保護することができる。従って、使用者の頸部にかかる圧力を低減させることができ、頸部及び顔へのフィット感を良好にすることができる。また、使用者が居眠りをしたときに、使用者の頸部及び顔が山状の第３布部に当たるので、頸部を横に倒れにくくすることができる。よって、頸部の位置を安定させることができるので、携帯枕用カバーの使い心地を良好にすることができる。
【００１２】
また、第２布部及び第３布部には、フードを着脱自在に取り付けるフード取付け部が設けられていてもよい。この場合、携帯枕用カバーにフードを着脱自在とすることができるので、携帯枕用カバーを装着した状態でフードを顔に被せることにより、顔に光を入りにくくすることができる。従って、目に光を入りにくくすることにより、使用者に一層快適な寝心地を提供することができる。また、不要な場合はフードを携帯枕用カバーから外すことができるので、フードが邪魔になる事態を回避することができる。従って、一層使い心地が良い携帯枕用カバーを提供することができる。
【発明の効果】
【００１３】
本発明によれば、寝心地を良好にすることができる。
【図面の簡単な説明】
【００１４】
【図１】第１実施形態に係る携帯枕用カバーを外側から見た斜視図である。
【図２】図１の携帯枕用カバーの第１布部から突出する吸排気部を示す斜視図である。
【図３】図１の携帯枕用カバーを内側から見た斜視図である。
【図４】図１の携帯枕用カバーを下側から見た斜視図である。
【図５】図１の携帯枕用カバーにフードを付けた状態を示す斜視図である。
【図６】図５のフードを示す斜視図である。
【図７】図１の携帯枕用カバーの使用例を示す正面図である。
【図８】図７の使用例の背面図である。
【図９】第２実施形態に係る携帯枕用カバーを示す斜視図である。
【図１０】第３実施形態に係る携帯枕用カバーを示す斜視図である。
【発明を実施するための形態】
【００１５】
以下、図面を参照しながら、本発明に係る携帯枕用カバーの実施形態について説明する。図面の説明において、同一又は相当する要素には同一の符号を付し、重複する説明を省略する。
【００１６】
本実施形態に係る携帯枕用カバー１０は、例えば、航空機の内部において使用者Ｍ（図７参照）が遠方に移動するときに用いられる。図１に示されるように、本実施形態に係る携帯枕用カバー１０は、山状に盛り上がる一対の両側部Ａ１と、２つの両側部Ａ１の間で窪む中央部Ａ２とを備えている。携帯枕用カバー１０は、その内部に、携帯枕用カバー１０と略相似形の袋体２を収容している。携帯枕用カバー１０は、全体として、両側部Ａ１及び中央部Ａ２が並ぶ長手方向Ｄ１に延びている。
【００１７】
携帯枕用カバー１０は、中央部Ａ２（図１の携帯枕用カバー１０の裏側の中央部Ａ２）が使用者Ｍの頸部Ｍ１に後方から当てられると共に各両側部Ａ１が頸部Ｍ１の両側に当てられることによって使用される。携帯枕用カバー１０の長手方向Ｄ１の一端及び他端には、当該一端と当該他端とを接続させる留め具としてサイドリリースバックルのプラグ４ａ及びソケット４ｂが設けられている。また、携帯枕用カバー１０に収容された袋体２の長手方向Ｄ１の一端（右側の端部）には、袋体２の内外における空気流通を開閉する吸排気部３が設けられている。
【００１８】
携帯枕用カバー１０に収容された袋体２は、非通気性であり、この袋体２には、例えば複数の弾性発泡体が収容されている。複数の弾性発泡体は、例えば、袋体２の最大容量に対して圧縮した状態で詰め込まれている。この弾性発泡体は、袋体２の中詰材（中芯）として機能する。例えば、複数の弾性発泡体は、その体積が圧縮比１．５〜５．８程度に圧縮された状態で最大容量となった袋体２に詰め込まれる。弾性発泡体は、例えば、発泡ウレタンで構成されている。また、弾性発泡体の内部には空気が含まれているため、弾性発泡体の圧縮及び膨張が可能となっている。例えば、弾性発泡体の密度は２０ｋｇ／ｍ３以上且つ９０ｋｇ／ｍ３以下であり、弾性発泡体の硬度は１５Ｎ以上且つ１２０Ｎ以下である。これらの密度及び硬度は、ＪＩＳＫ６４０１に準拠している。
【００１９】
吸排気部３は、例えば、袋体２の右側の端部で外方に突出している。吸排気部３の材料としては、例えばＰＶＣ又はポリウレタンを用いることができる。図１及び図２に示されるように、吸排気部３は、携帯枕用カバー１０の表面から延びる軸線Ｌを中心として回転可能な回転式となっている。吸排気部３は、使用者Ｍによって回転操作されることにより、袋体２の開放及び閉塞が可能となっている。この吸排気部３の開放及び閉塞により、袋体２の内部の空気量が調整され、袋体２の厚さが調整される。吸排気部３には、例えば赤色又は緑色等、視認しやすい色彩が施されている。
【００２０】
吸排気部３は、携帯枕用カバー１０に対し上下に移動可能となっている円柱状の蓋部３ａを備えている。蓋部３ａが軸線Ｌを中心として一方向（例えば反時計回り）に回転操作されることによって蓋部３ａは上昇し、この蓋部３ａの上昇に伴って袋体２の空気流入口が開放される。また、蓋部３ａが軸線Ｌを中心として他方向（例えば時計回り）に回転操作されることにより蓋部３ａは下降し、このとき袋体２の空気流入口が閉塞される。
【００２１】
携帯枕用カバー１０の両側部Ａ１は、下辺１０ａと、携帯枕用カバー１０の幅方向Ｄ２に延びる端辺１０ｂと、端辺１０ｂの上端から中央部Ａ２に向かって山状に湾曲する山部１０ｃと、を有する。下辺１０ａは、頸部Ｍ１の下側に位置すると共に、長手方向Ｄ１に直線状に延びる。例えば長手方向Ｄ１及び幅方向Ｄ２は互いに直交している。端辺１０ｂからは、頸部Ｍ１の前側に位置する紐部５が長手方向Ｄ１に延びており、この紐部５の先端にサイドリリースバックルのプラグ４ａ又はソケット４ｂが取り付けられている。
【００２２】
携帯枕用カバー１０の中央部Ａ２は、一対の両側部Ａ１の間に位置しており、全体として略長方形状となっている。中央部Ａ２は、頸部Ｍ１の下側に位置する下辺１０ｄと、頸部Ｍ１の上側に位置する上辺１０ｅとを有する。下辺１０ｄは、長手方向Ｄ１に直線状に延び、下辺１０ｄの両端は両側部Ａ１の下辺１０ａに連続している。また、上辺１０ｅは、長手方向Ｄ１に略直線状に延び、上辺１０ｅの両端は山部１０ｃの下端に連続している。中央部Ａ２の幅方向Ｄ２の長さは、両側部Ａ１の幅方向Ｄ２の長さよりも短い。これにより、中央部Ａ２は、使用者Ｍの頸部Ｍ１の後側に接触するが、両側部Ａ１は、使用者Ｍの頸部Ｍ１だけでなく使用者Ｍの顔にも接触する。
【００２３】
携帯枕用カバー１０は、４種類の生地によって構成されている。図１及び図３に示されるように、携帯枕用カバー１０は、頸部Ｍ１に巻かれたときに外側を向く第１布部１１と、頸部Ｍ１に巻かれたときに内側を向く第２布部１２と、第１布部１１及び第２布部１２の上側に位置する一対の第３布部１３とを備えている。第３布部１３は、長手方向Ｄ１の両端側に位置する両端側布部１３ａと、長手方向Ｄ１の中央側に位置する中央側布部１３ｂとを含んでいる。なお、以降の説明では、頸部Ｍ１に巻かれたときにおける外側を単に「外側」とし、頸部Ｍ１に巻かれたときにおける内側を単に「内側」として説明する。図１は「外側」を示す図であり、図３は「内側」を示す図である。
【００２４】
第１布部１１は、第２布部１２と比較して伸縮性が低く、伸びにくい生地によって構成されている。第１布部１１としては、例えば、布帛が用いられる。第１布部１１は、携帯枕用カバー１０の両側部Ａ１に設けられており、中央部Ａ２に対して左右一対に設けられる。第１布部１１は、携帯枕用カバー１０の内側において、第２布部１２の長手方向Ｄ１の両端側にも設けられている。また、第１布部１１の長手方向Ｄ１の両端からは、前述した紐部５が延び出しており、紐部５の根元部分は第１布部１１に挟み込まれている。
【００２５】
携帯枕用カバー１０の外側に位置する第１布部１１の上端１１ａは、携帯枕用カバー１０の山部１０ｃに沿った山状とされている。第１布部１１は、長手方向Ｄ１の一方側（右側）に、吸排気部３を外方に突出させる孔部１１ｂを備える。孔部１１ｂは、例えば、円形状又は楕円形状を成しており、孔部１１ｂの面積は、吸排気部３の蓋部３ａの上面の面積よりも大きい（若干大きい程度とされている）。
【００２６】
第２布部１２は、第１布部１１と比較して伸縮性が高い生地によって構成されている。第２布部１２は、その表面に微細な凹凸を有しており、この凹凸は使用者Ｍの頸部Ｍ１に接触する。この凹凸は、例えば、凹凸が連続する鹿の子編みによって形成されていてもよいし、メッシュによって形成されていてもよい。また、この凹凸は、ドット状に配置されていてもよいし、格子状に配置されていてもよいし、帯状若しくは波形状に配置されていてもよい。凹凸は、第２布部１２と頸部Ｍ１との接触面積を少なくする形状とされており、頸部Ｍ１に対する蒸れ感を抑える形状とされている。また、第２布部１２は、吸水性が高い素材によって構成されるのが好ましい。
【００２７】
第２布部１２は、携帯枕用カバー１０の内側且つ下側において長手方向Ｄ１の全体に亘って延びている。また、第２布部１２は、長手方向Ｄ１の中央において、幅方向Ｄ２の全体（中央部Ａ２の全体）に亘って延びている。第２布部１２は、長手方向Ｄ１の中央において、第１布部１１を分断すると共に中央部Ａ２を構成している。
【００２８】
第３布部１３は、例えば、中央部Ａ２に対して左右対称に設けられている。両端側布部１３ａは、携帯枕用カバー１０の外側及び内側の両方において、携帯枕用カバー１０の上側且つ長手方向Ｄ１の両端側に配置されている。両端側布部１３ａは、携帯枕用カバー１０の山部１０ｃにおける長手方向Ｄ１の両端側に配置されており、中央側布部１３ｂは、山部１０ｃにおける両端側布部１３ａの中央部Ａ２側に配置されている。両端側布部１３ａとしては、例えば、スムースニットが用いられ、中央側布部１３ｂとしては、メッシュ素材が用いられる。
【００２９】
携帯枕用カバー１０の外側において、第１布部１１と第３布部１３との境目部分には、第１布部１１の上端１１ａに沿って延びる紐状部１５が設けられている。この紐状部１５には、例えば、赤色又は緑色等、視認しやすい色彩が施されており、紐状部１５の色彩は吸排気部３の色彩と同一であってもよい。このように紐状部１５に色彩を施すことによって、携帯枕用カバー１０のデザイン性を高めることができる。
【００３０】
図４及び図５に示されるように、携帯枕用カバー１０は、袋体２を取り出し可能なファスナー１６を備えており、このファスナー１６は、携帯枕用カバー１０の下辺１０ａ，１０ｄに沿って設けられている。また、携帯枕用カバー１０の外側（図５に示される側）において、第２布部１２及び第３布部１３には、フード２０を取り付けるためのボタン１７（フード取付け部）が設けられている。ボタン１７は、例えば、紐状部１５に沿って複数設けられており、５個のボタン１７が中央部Ａ２に対して左右対称に配置されている。
【００３１】
図５及び図６に示されるように、フード２０は、使用者Ｍの下側（頸部Ｍ１側）に位置する第１部分２１と、使用者Ｍの上側に位置する第２部分２２とを含んでおり、第１部分２１及び第２部分２２の生地は互いに異なっている。第１部分２１及び第２部分２２は、例えば、共にメッシュ素材であるが、第１部分２１は、第２部分２２よりも通気性が高いメッシュ素材である。
【００３２】
第１部分２１の下端は、ボタン１７が並ぶ方向に沿うように配置され、第１部分２１の下端には、例えば、ボタン１７に掛けられる輪状の引掛部２１ａが、ボタン１７の数と同じ数だけ設けられる。各引掛部２１ａを各ボタン１７に掛けることにより、フード２０を携帯枕用カバー１０に取り付けることが可能であり、全ての引掛部２１ａをボタン１７から外せばフード２０を携帯枕用カバー１０から取り外すことが可能である。引掛部２１ａの配置位置はボタン１７の配置位置に対応している。また、第２部分２２は、使用者Ｍの頭部を覆う部分である。
【００３３】
次に、携帯枕用カバー１０の使用方法の例について説明する。まず、図１及び図３に示される携帯枕用カバー１０を、吸排気部３が使用者Ｍから見て右側に位置するように、使用者Ｍが手で取る。そして、携帯枕用カバー１０の中央部Ａ２の内側の面（図３に示される第２布部１２の面）を頸部Ｍ１の後側に当てて、各両側部Ａ１を使用者Ｍの顔の両側を覆うように、携帯枕用カバー１０を使用者Ｍの頸部Ｍ１に巻き付ける。
【００３４】
また、携帯枕用カバー１０の各ボタン１７にフード２０の各引掛部２１ａを引っ掛けて携帯枕用カバー１０にフード２０を取りつけておく。そして、図７及び図８に示されるように、使用者Ｍの頸部Ｍ１の前側において、サイドリリースバックルのプラグ４ａとソケット４ｂで２本の紐部５を接続し、２つの両側部Ａ１を連結させる。このようにして、中央部Ａ２が頸部Ｍ１の後側に当たると共に、両側部Ａ１が頸部Ｍ１及び顔に左右両側から当たる。そして、フード２０の第２部分２２を後方から使用者Ｍの頭に被せることによって使用者Ｍは睡眠可能な状態となり、使用者Ｍへの携帯枕用カバー１０の装着が完了する。
【００３５】
以上のように携帯枕用カバー１０を使用者Ｍに装着した状態において、使用者Ｍが吸排気部３の蓋部３ａを一方向に回転操作することにより、袋体２の内部空間に空気を流入させて袋体２及び携帯枕用カバー１０をゆっくりと厚くする。そして、蓋部３ａを他方向に回転操作することによって袋体２の内部空間への空気流入を遮断し、袋体２及び携帯枕用カバー１０の厚さを所望の状態で維持させる。袋体２は、吸排気部３の操作で内部空間への空気流入が調整されるので、装着した状態で袋体２及び携帯枕用カバー１０を厚くすることが可能となっている。
【００３６】
また、携帯枕用カバー１０を使用者Ｍから取り外すときには、プラグ４ａをソケット４ｂから外して２つの両側部Ａ１を離間させ、蓋部３ａを一方向に回転操作して袋体２に外力を与えることにより、袋体２の内部空間から空気を流出させて袋体２及び携帯枕用カバー１０を収縮させる。袋体２及び携帯枕用カバー１０を収縮させた後には、吸排気部３を有する両側部Ａ１から袋体２及び携帯枕用カバー１０を中央部Ａ２側に巻いていくことにより、袋体２及び携帯枕用カバー１０を長手方向Ｄ１に沿ってコンパクトに丸め込むことが可能である。
【００３７】
次に、本実施形態に係る携帯枕用カバー１０によって得られる効果について説明する。
【００３８】
携帯枕用カバー１０は、使用者Ｍの頸部Ｍ１に巻かれたときに頸部Ｍ１の外側を向く第１布部１１が、第２布部１２よりも伸縮性が低い生地によって構成されている。よって、外側に伸縮性が低い第１布部１１が位置するので、外側から包み込むような形で携帯枕用カバー１０の形状を安定させることができる。
【００３９】
また、頸部Ｍ１に接触する第２布部１２は第１布部１１と比較して伸縮性が高い生地とされているので、頸部Ｍ１に対するフィット感を良好にすることができる。従って、携帯枕用カバー１０の使用時の寝心地を良好にすることができる。また、頸部Ｍ１に接触する第２布部１２の表面には凹凸が形成されている。よって、頸部Ｍ１に第２布部１２の凹凸が接触し、頸部Ｍ１と第２布部１２との接触面積を低減させることができるので、頸部Ｍ１と第２布部１２との間の通気性を高めることができる。従って、通気性を高めることによって頸部Ｍ１を蒸れにくくすることができるので、長時間携帯枕用カバー１０を使用した場合でも、良好な寝心地を使用者Ｍに提供することができる。
【００４０】
また、図２に示されるように、携帯枕用カバー１０は、非通気性の袋体２を収容し、袋体２には、袋体２の内部への空気の流出入を行う吸排気部３が設けられており、吸排気部３は、回転されることによって袋体２を開閉し、第１布部１１には、吸排気部３を外方に突出させる孔部１１ｂが形成されている。よって、吸排気部３が外側の第１布部１１から外方に突出するので、携帯枕用カバー１０を巻いたときに吸排気部３が頸部Ｍ１に接触しないようにすることができる。
【００４１】
また、伸縮性が低い生地で構成された第１布部１１の孔部１１ｂから吸排気部３が突出しているので、第１布部１１が伸縮しにくいことにより第１布部１１が吸排気部３に干渉しにくくなるので、第１布部１１が吸排気部３の回転を妨げる可能性を抑えることができる。具体的には、吸排気部３の蓋部３ａが他方向に回転操作されて蓋部３ａが下降するときに、蓋部３ａの下端が第１布部１１を挟み込むことによって蓋部３ａのそれ以上の下降が妨げられる可能性を抑えることができる。従って、携帯枕用カバー１０の使用中であっても蓋部３ａをスムーズに回転させることができるので、吸排気部３による空気の流出入をスムーズに行うことができる。
【００４２】
また、図１及び図３に示されるように、第１布部１１及び第２布部１２は、携帯枕用カバー１０の長手方向Ｄ１に沿って延びており、第２布部１２は、長手方向Ｄ１の中央（中央部Ａ２）において、携帯枕用カバー１０の幅方向Ｄ２の全体に亘って延びており、長手方向Ｄ１の中央において、第１布部１１は、第２布部１２によって分断されている。よって、伸縮性が高い第２布部１２は、携帯枕用カバー１０の幅方向Ｄ２の全体に亘って延びており、更に、長手方向Ｄ１の中央において第１布部１１を分断している。従って、長手方向Ｄ１の中央において、携帯枕用カバー１０全体としての伸縮性を高めることができる。よって、長手方向Ｄ１の中央で携帯枕用カバー１０を折り曲げやすくすることができるので、折り曲げた携帯枕用カバー１０を例えばクッション又は座布団として用いることが可能である。
【００４３】
また、頸部Ｍ１に巻かれた状態で第１布部１１の上側に位置する第３布部１３を備え、第３布部１３は、携帯枕用カバー１０の長手方向Ｄ１の中央において、第２布部１２によって分断されており、第３布部１３は、第２布部１２に対して上方に突出する山状とされている。よって、使用者Ｍに携帯枕用カバー１０が装着されたときに、山状の第３布部１３が使用者Ｍの顎の両側と耳の下側に当たり、山状の第３布部１３が使用者Ｍの顔の両側に接触するので、使用者Ｍの頸部Ｍ１及び顔を広く保護することができる。
【００４４】
従って、使用者Ｍの頸部Ｍ１にかかる圧力を低減させることができ、頸部Ｍ１及び顔へのフィット感を良好にすることができる。また、使用者Ｍが居眠りをしたときに、使用者Ｍの頸部Ｍ１及び顔が山状の第３布部１３に当たるので、頸部Ｍ１を横に倒れにくくすることができる。よって、頸部Ｍ１の位置を安定させることができるので、携帯枕用カバー１０の使い心地を良好にすることができる。
【００４５】
また、第２布部１２及び第３布部１３には、フード２０を着脱自在に取り付けるボタン１７が設けられている。よって、携帯枕用カバー１０にフード２０を着脱自在とすることができるので、携帯枕用カバー１０を装着した状態でフード２０を顔に被せることにより、顔に光を入りにくくすることができる。従って、目に光を入りにくくすることにより、使用者Ｍに一層快適な寝心地を提供することができる。
【００４６】
また、図５及び図６に示されるように、フード２０の第１部分２１及び第２部分２２がメッシュ素材であるため、フード２０で顔を覆った状態でも、使用者Ｍは第１部分２１及び第２部分２２からフード２０の外を視認することができる。更に、不要な場合はフード２０を携帯枕用カバー１０から外すことができるので、フード２０が邪魔になる事態を回避することができる。従って、一層使い心地がよい携帯枕用カバー１０を提供することができる。
【００４７】
（第２実施形態）
次に、図９を参照しながら第２実施形態に係る携帯枕用カバー３０について説明する。携帯枕用カバー３０は、ボタン１７を有しない点で第１実施形態の携帯枕用カバー１０と異なっている。以下では、第１実施形態と重複する説明を省略する。携帯枕用カバー３０は、前述したようにボタン１７を有しないので、第１布部１１、第２布部１２及び第３布部１３を含むシンプルな構成とすることができ、デザイン性を高めることができる。
【００４８】
（第３実施形態）
続いて、図１０を参照しながら第３実施形態に係る携帯枕用カバー４０について説明する。携帯枕用カバー４０も、第２実施形態の携帯枕用カバー３０と同様、ボタン１７を有しない。携帯枕用カバー４０は、ボタン１７に代えて、長手方向Ｄ１に延びるファスナー４１を備えている。ファスナー４１は、例えば、一方の第１布部１１、第２布部１２、及び他方の第１布部１１を跨ぐように直線状に延びている。ファスナー４１の内側には、フード２０を収容する内部空間が形成されている。
【００４９】
ファスナー４１の内部空間には、当該内部空間で突出する内布が設けられており、この内布にフード２０の下端が縫い込まれている。すなわち、携帯枕用カバー４０では、ファスナー４１の内部空間に突出する内布にフード２０が固定されている。従って、必要なときはファスナー４１を開けて内部空間からフード２０を取り出し、不要なときにはフード２０を内部空間に押し込んでファスナー４１を閉めればフード２０を当該内部空間に収容することが可能である。
【００５０】
以上、第３実施形態に係る携帯枕用カバー４０では、ファスナー４１の内部空間に設けられた内布にフード２０が縫い込まれており、当該内部空間からフード２０を出し入れ可能となっている。従って、ファスナー４１を開けることによってフード２０を容易に出し入れすることができる。また、フード２０をファスナー４１の内部空間に収容した状態において、携帯枕用カバー４０は、フード２０を収容していないときよりも厚くなる。従って、フード２０を収容して携帯枕用カバー４０を厚くすることにより、携帯枕用カバー４０をクッション又は座布団として用いることができる。
【００５１】
以上、本発明の実施形態について説明したが、本発明は、前述した各実施形態に限定されるものではなく、各請求項に記載した要旨を変更しない範囲で変形してもよい。すなわち、本発明は、特許請求の範囲に記載した要旨を変更しない範囲で種々の変形が可能である。
【００５２】
例えば、前述の実施形態では、山状に盛り上がる一対の両側部Ａ１と、中央部Ａ２とを備える携帯枕用カバー１０について説明した。しかしながら、携帯枕用カバーの形状、大きさ及び材料は、前述した各実施形態に限定されず適宜変更可能である。例えば、本発明に係る携帯枕用カバーは、山部１０ｃを有しない形状であってもよい。
【００５３】
また、前述の実施形態では、２つの両側部Ａ１を連結させる連結手段としてサイドリリースバックル及び紐部５を用いる例について説明したが、この連結手段としてはサイドリリースバックル又は紐部５以外のものを用いることも可能である。例えば、サイドリリースバックルを省略し、２本の紐部を結ぶことによって、２つの両側部Ａ１を連結させてもよい。
【００５４】
また、前述の実施形態では、回転式の吸排気部３について説明したが、回転式以外の吸排気部であってもよい。例えば、回転式の吸排気部３に代えて、スライド式の吸排気部を備えていてもよい。この場合、例えば吸排気部を一方向にスライド移動させることによって袋体２を開放し、吸排気部を他方向にスライド移動させることによって袋体２を閉塞させる。
【００５５】
また、前述の実施形態では、袋体２の内部に弾性発泡体が圧縮して詰め込まれており、弾性発泡体の膨張によって吸排気部３が空気を流入して袋体２及び携帯枕用カバー１０が膨らむ例について説明した。しかしながら、弾性発泡体が無くても自動的に空気を流入する吸排気部を設けてもよい。更に、前述した実施形態では、袋体２が１個の吸排気部３を備えていたが、２個以上の吸排気部３を備えていてもよい。更に、吸排気部３の場所を変更することも可能である。
【００５６】
また、前述の実施形態では、第２布部１２、第３布部１３に複数のボタン１７が中央部Ａ２に対して対称に配置される例について説明したが、ボタン１７の個数、形状及び配置態様については適宜変更可能である。また、フード２０を取り付けるフード取付け部は、例えばバックル又は面ファスナー等、ボタン以外のものであってもよい。
【００５７】
また、前述の実施形態では、第２布部１２が中央部Ａ２を構成しており、中央部Ａ２において、外側及び内側の両方に第２布部１２が設けられる例について説明した。しかしながら、第２布部１２の配置は、上記の例に限られず変更可能である。例えば、外側の第２布部１２と内側の第２布部１２とにおいて、互いに異なる素材を用いてもよい。
【００５８】
また、前述の実施形態では、第３布部１３が両端側布部１３ａ及び中央側布部１３ｂといった２枚の布部を含んでいる例について説明した。しかしながら、第３布部１３は、１種類（１枚）の布部によって構成されていてもよい。この場合、第３布部１３にかかるコストを抑えることができる。また、第３布部１３の材料としては、例えばニット素材等、種々のものを用いることができる。例えば、第３布部１３は１枚のメッシュ素材であってもよく、この場合、第３布部１３における通気性を高めることができる。
【００５９】
また、前述の実施形態では、通気性が高い第１部分２１と、第１部分２１よりは通気性が低い第２部分２２とを有するフード２０について説明したが、フードの構成についても適宜変更可能である。更に、前述の実施形態では、フード２０の第１部分２１と第２部分２２とがメッシュ素材である例について説明したが、フード２０の第１部分２１と第２部分２２としてはメッシュ素材以外の素材を用いることも可能である。以上のように、本発明に係る携帯枕用カバーには、種々のフードを取り付けることが可能である。
【００６０】
また、前述の実施形態では、航空機の内部において使用者Ｍが遠方に移動するときに用いられる携帯枕用カバー１０について説明した。しかしながら、本発明に係る携帯枕用カバーは、航空機の内部以外で使用することも当然可能であり、様々な場所及び用途で用いることが可能である。
【符号の説明】
【００６１】
２…袋体、３…吸排気部、３ａ…蓋部、４ａ…プラグ、４ｂ…ソケット、５…紐部、１０，３０，４０…携帯枕用カバー、１０ａ，１０ｄ…下辺、１０ｂ…端辺、１０ｃ…山部、１０ｅ…上辺、１１…第１布部、１１ａ…上端、１１ｂ…孔部、１２…第２布部、１３…第３布部、１３ａ…両端側布部、１３ｂ…中央側布部、１５…紐状部、１６…ファスナー、１７…ボタン（フード取付け部）、２０…フード、２１…第１部分、２１ａ…引掛部、２２…第２部分、４１…ファスナー、Ａ１…両側部、Ａ２…中央部、Ｄ１…長手方向、Ｄ２…幅方向、Ｌ…軸線、Ｍ…使用者、Ｍ１…頸部。
【図１】
2018057500.tif 000003
【図２】
2018057500.tif 000004
【図３】
2018057500.tif 000005
【図４】
2018057500.tif 000006
【図５】
2018057500.tif 000007
【図６】
2018057500.tif 000008
【図７】
2018057500.tif 000009
【図８】
2018057500.tif 000010
【図９】
2018057500.tif 000011
【図１０】
2018057500.tif 000012